(57)【要約】【課題】取り付け取り外しが容易かつ確実で、一旦、収納されたバッテリーはケースの蓋をあけても無闇に離脱しないバッテリーケースを提供する。【解決手段】角筒体の一方の開口部を閉鎖し、他方の開口部に開閉自在な蓋体を設け、前記筒体の奥部に電極を有するバッテリーケースにおいて、一定厚を有する、一側を傾斜させた端縁とした四角形の板体を４枚設け、当該各板体を前記外箱１の開口部１ａ内側の対向する各側面に、前記傾斜した端縁を開口部１ａ側にして夫々嵌め入れて固定し、前記板体の一方の対向する各板体に、予め、透孔８ａを夫々設け、当該透孔８ａに、山型に折り曲げた板ばね１３の付勢された山型部を突出させて当該板ばね１３を配置し、前記外箱１内にバッテリーＢを収納した際、当該バッテリーＢが前記板ばね１３に挟持される構成とした。【選択図】図１
0003142460.tif 000002
【実用新案登録請求の範囲】
【請求項１】
筒体の一方の開口部を閉鎖し、他方の開口部に開閉自在な蓋体を設け、前記筒体の奥部に電極を有するバッテリーケースにおいて、
前記筒体内の対向する箇所に板ばねを夫々設け、
前記筒体内にバッテリーを収納した際、当該バッテリーが前記板ばねに挟持される構成としたことを特徴とする、バッテリーケース。
【請求項２】
角筒体の一方の開口部を閉鎖し、他方の開口部に開閉自在な蓋体を設け、前記筒体の奥部に電極を有するバッテリーケースにおいて、
一定厚を有する、一側を傾斜させた端縁とした四角形の板体を４枚設け、当該各板体を前記角筒体内の各側面に、前記傾斜した端縁を開口部側にして夫々嵌め入れて固定し、
前記板体の一方の対向する各板体に、予め、透孔を夫々設け、当該透孔に、山型に折り曲げた板ばねの付勢された山型部を突出させて当該板ばねを配置し、
前記角筒体内にバッテリーを収納した際、当該バッテリーが前記板ばねに挟持される構成としたことを特徴とする、バッテリーケース。
【請求項３】
前記蓋体はキャップ状に設け、
前記角筒体内の最奥部までバッテリーを嵌め入れた際、当該バッテリーの後端部が前記角筒体の開口部から突出する構成としたことを特徴とする、前記請求項１又は２に記載のバッテリーケース。
【考案の詳細な説明】
【技術分野】
【０００１】
この考案は、電気工事用の機器、その他、電気を動力源とする機器や装置に供給するバッテリーの収納ケースに関するものである。
【背景技術】
【０００２】
電気を動力源とする機器や装置は、稼働時に二酸化炭素を排出しないため、クリーンなエネルギーとして盛んに用いられている。この様な機器に電気を供給するものとして、バッテリーが使用されている。
【０００３】
従来のバッテリーケースは、箱体の中にケース側電極を設け、単に、バッテリーを収納することにより、ケース側電極とバッテリーに設けたバッテリー側電極とが接触し、電気的接続が行われている。そして、前記バッテリー側電極に接続したリード線をケース外に導出している。また、バッテリーの取り付け、取外しを容易にするために当該バッテリーケースに引き出し用のレールを設けたものなどがあった。
【考案の開示】
【考案が解決しようとする課題】
【０００４】
しかしながら、前者のバッテリーケースでは、バッテリーを単に開口部内に収納しただけなので、バッテリーを収納する方向は、滑り出し及び落下の恐れの無い水平方向に限定されており、不便であった。また、後者のバッテリーケースでは、別途、レールを引出す構造をバッテリーケースに設ける必要があり、バッテリーの収納構造が複雑かつ大型化し、費用も高くなっていた。
【０００５】
この考案は、この様な状況に鑑みて行われたもので、取り付け取り外しが容易かつ確実で、一旦、収納されたバッテリーはケースの蓋をあけても無闇に離脱しないバッテリーケースを提供して前記課題を解決するものである。
【課題を解決するための手段】
【０００６】
請求項１の考案は、筒体の一方の開口部を閉鎖し、他方の開口部に開閉自在な蓋体を設け、前記筒体の奥部に電極を有するバッテリーケースにおいて、前記筒体内の対向する箇所に板ばねを夫々設け、前記筒体内にバッテリーを収納した際、当該バッテリーが前記板ばねに挟持される構成としたバッテリーケースとした。
【０００７】
請求項２の考案は、角筒体の一方の開口部を閉鎖し、他方の開口部に開閉自在な蓋体を設け、前記筒体の奥部に電極を有するバッテリーケースにおいて、一定厚を有する、一側を傾斜させた端縁とした四角形の板体を４枚設け、当該各板体を前記角筒体内の各側面に、前記傾斜した端縁を開口部側にして夫々嵌め入れて固定し、前記板体の一方の対向する各板体に、予め、透孔を夫々設け、当該透孔に、山型に折り曲げた板ばねの付勢された山型部を突出させて当該板ばねを配置し、前記角筒体内にバッテリーを収納した際、当該バッテリーが前記板ばねに挟持される構成としたバッテリーケースとした。
【０００８】
請求項３の考案は、前記蓋体はキャップ状に設け、前記角筒体内の最奥部までバッテリーを嵌め入れた際、当該バッテリーの後端部が前記角筒体の開口部から突出する構成とした前記請求項１又は２に記載のバッテリーケースとした。
【考案の効果】
【０００９】
請求項１及び２の各考案によれば、バッテリーケース内にバッテリーを嵌め入れる際、バッテリーの前端部が板ばねに当たり、バッテリーの進行を一旦停止させられる。従って、不用意に、バッテリーを挿入しても、バッテリー及びバッテリーケースの双方の電極が無闇に勢いよく接触することが無く、破損するおそれがない。
【００１０】
また、バッテリーが筒体又は角筒体の開口部内の最奥部まで嵌め入れられた状態では、当該バッテリーは、前記板ばねに挟持されて、当該バッテリーの収納状態が維持されており、バッテリーの蓋体が開けられても、無闇に、バッテリーが滑り出したり、落下したりすることが無く、安全である。この様な結果、バッテリーケースの設置方向に制約が無く、使い勝手の良いもので有る。
【００１１】
請求項３の考案によれば、前記蓋体はキャップ状に設け、前記角筒体の開口部内の最奥部までバッテリーを嵌め入れた際、当該バッテリーの後端の一部が角筒体の開口部から突出するようにしたので、作業者は、バッテリーをこのバッテリーケースから取り付け、又は取り外す際、前記バッテリーの突出した部分を掴めば、容易かつ確実に、取り付け、又は取り外しが出来、便利である。この様な結果、バッテリーケースの構造がシンプルとなり、耐久性の向上及びコンパクト化が図れる。
【考案を実施するための最良の形態】
【００１２】
筒体の一方の開口部を閉鎖し、他方の開口部に開閉自在な蓋体を設け、前記筒体の奥部に電極を有するバッテリーケースにおいて、前記筒体内の対向する箇所に板ばねを夫々設け、前記筒体内にバッテリーを収納した際、当該バッテリーが前記板ばねに挟持される構成とした。
【００１３】
これにより、バッテリーが角筒体の開口部内の最奥部まで嵌め入れられた状態では、当該バッテリーは、前記板ばねに挟持されて、当該バッテリーの収納状態が維持されており、バッテリーの蓋体が開けられても、無闇に、バッテリーが滑り出したり、落下したりすることが無く、安全である。
【実施例１】
【００１４】
以下、この考案の実施例を図に基づいて説明する。
図１は、この考案の実施例のバッテリーケースにバッテリーを挿入する前の状態を示す一部断面図です。図２は、この考案の実施例のバッテリーケースの断面平面図である。図３は、同断面側面図である。図４は、この考案の実施例のバッテリーケースの蓋体の側面図である。図５は、この考案の実施例のバッテリーケースのバッテリーガイドの構成を示す分解平面図である。図６は、同分解側面図である。
【００１５】
この実施例では、横長で扁平な角筒体の一方の開口部を閉鎖した外箱１を設け、この閉鎖した端面に貫通孔を穿ち、この貫通孔にグロメット３を嵌合し、外箱１の他方の開口部の端縁周囲にフランジ４を設けている。そして、当該フランジ４の一側にキャップ状の蓋体２の外面一側を蝶番５によって接続して当該蓋体２を外箱１の開口部に開閉自在に設けて、前記バッテリーケースＡを形成している。
【００１６】
前記蓋体２の内側の凹部開口部の外周縁には、Ｏリング６を設け、外箱１の開口部に蓋体２を閉じた際、当該開口部内は密閉状態となる。
【００１７】
また、一定厚を有する、長方形状の大小の二枚の板体７、８を夫々２枚設け、これらの大小の板体７、８の対向する短辺の中の一辺を夫々傾斜した端縁としている。前記２枚の大板体７を、前記傾斜した端縁を対向させ、かつ尖った箇所を外側にして間隔をあけて対向させ、これらの２枚の大板体７の前記傾斜した端縁を有しない他端の間に略角柱状の電極台１０を横長にして嵌め入れ、各大板体７の外側からねじ９を螺着して二枚の大板体７及び電極台１０を一体に固定する（図２及び６参照）。
【００１８】
この電極台１０の長手方向の中央部から一方に偏った箇所の上面と下面に、予め、ねじ１１で夫々螺着した折曲金属片を突出させてケース側電極１２を設けている。また、この各ケース側電極１２は、前記各大板体７の内側面から浮いて設けられている。
【００１９】
また、この電極台１０を挟んだ二枚の大板体７の各側縁間に、前記２枚の小板体８を、前記傾斜した端縁を対向させ、これらを前記大板体７の傾斜した端縁の位置にあわせ、かつ尖った箇所を外側にして嵌め入れて前記電極台１０の両側縁上に乗せ、大板体７の外側からねじ９を螺着して当該大板体７と小板体８を角筒形状になるように一体に固定する。
【００２０】
これらの２枚の各小板体８に、予め長手方向に長方形状の透孔８ａを設け、後述する当該大小板体７、８を外箱１内に挿入する際に、別途用意した山型に折り曲げた板ばね１３を、前記透孔８ａから当該板ばね１３の山型部を突出させてその両端を当該透孔８ａの対向する端縁に係止して配置しておく。また、小板体８のどちらか一方の内側の下端縁付近にブロック状の突板を設けて、後述する逆挿入防止体１４として取り付けている。
【００２１】
そして、前記電極台１０を挟み、小板体８を固定した大板体７から成る角筒体を、前記電極１０側を先にして、外箱１の開口部１ａから嵌め入れる。そして、大板体７の電極台１０を挟んだ基部を最奥部まで到達させ、そこで、外箱１内に大板体７及び小板体８を固定する。
【００２２】
この時、前記小板体８の各透孔８ａから板ばね１３の山型部の一部がばねの付勢により突出しているものとする。従って、前記小板体８の外側面と外箱１の内側面との間には間隔を有し、この間隔内で板ばね１３が摺動可能となっている。また、前記大小の板体７、８の傾斜した端縁は、外箱１の開口部１ａから一定長、内部に入った箇所に位置するものとする。この様にして、外箱１内に嵌め入れられた大小の板体７、８は、夫々外箱１の内側面に沿って設けられており、かつ外箱１の開口部１ａ側の内側縁が傾斜しており、後述するバッテリーＢを挿入する際のバッテリーガイド１５となる。
【００２３】
次に、この外箱１内に挿入するバッテリーＢについて説明する。
扁平な箱型のバッテリーＢの前端部の上面と下面に、凹部を夫々設けて当該凹部内にバッテリー側電極１６を設けている。また、バッテリーＢを挿入して収納した際、前記逆挿入防止体１４に嵌め合わせる凹部１７をバッテリーＢの前端部の相応する箇所に設けている。
【００２４】
前記の構成から成るバッテリーＢをバッテリーケースＡに挿入して収納する。
バッテリーケースＡの蓋体２を開け、バッテリーＢの前端部を前にし、かつ凹部であるバッテリー側電極１６の位置を合わせて、当該バッテリーケースＡの開口部１ａから、バッテリーガイド１５をガイドとして、当該開口部１ａ内に挿入する。すると、直ぐに、バッテリーＢの前端部は前記各小板体８の透孔８ａから突出した板ばね１３の山型部に当接し、進行は一旦、停止される。この時、板ばね１３の付勢が強力なものであり、軽く押す程度でバッテリーＢを挿入しても、進行できない状態となっている。この様に、板ばね１３はバッテリーストッパーとなっている。
【００２５】
そこで、板ばね１３の付勢に抗して、少し強くバッテリーＢを押し込むとバッテリーＢは板ばね１３の山型部をへこませて進行し、最奥部に到達する。この時、外箱１内の２つのケース側電極１２は、バッテリーＢの前端部の２つの凹部内に挿入され、バッテリー側電極１６と当接し電気的に接続される。また、前記逆挿入防止体１４は、バッテリーＢの凹部１７内に嵌る。
【００２６】
また、このバッテリーＢが外箱１内の最奥部まで嵌め入れられた状態で、バッテリーＢの後端の一部が、開口部１ａから突出している状態に有る。また、このバッテリーＢが外箱１内の最奥部まで嵌め入れられた状態で、このバッテリーＢの一方の対向する外側面は、前記各板ばね１３の山型部に押圧把持されて、当該バッテリーＢの収納状態が維持されるようになっており、少し力を加えて引かなければ、バッテリーＢは引き出されない。
【００２７】
この後、当該バッテリーＢの後端に前記蓋体２を被せると、このバッテリーケースＡは密封状態となる。また、前記ケース側電極１２から伸ばされた導線１８は、前記グロメット３を通して外部へ導出されるようになっている。また、逆挿入防止体１４を小板体８の内側に設けており、この逆挿入防止体１４の端部は、前記ケース側電極１２より、開口部１ａに近い位置にあるので、バッテリーＢの向きが逆に挿入されたとしても、まず、逆挿入防止体１４と接触して、向きが逆であることが分かり、ケース側電極１２が破損することが無い。
【００２８】
そして、再び、バッテリーケースＡの蓋体２を開けると、バッテリーＢの後端が突出しているので、バッテリーＢの後端を持ってバッテリーケースＡから取り出すことができる。また、この様に蓋体２を開けても、前記対向する板ばね１３でバッテリーＢを挟持しているので、無闇にバッテリーＢがバッテリーケースＡから外れない。それ故、当該バッテリーケースＡをどの様な方向にも設けることが出来る。
【００２９】
前記実施例では、外箱１は、扁平な角筒形状に設けているが、外箱１の形状はこれに限るものではない。また、ケース側電極１２やバッテリー側電極１６の位置も必ずしも、前述の位置に限るものではない。
【図面の簡単な説明】
【００３０】
【図１】この考案の実施例のバッテリーケースにバッテリーを挿入する前の状態を示す一部断面図です。
【図２】この考案の実施例のバッテリーケースの断面図平面図である。
【図３】この考案の実施例のバッテリーケースの断面側面図である。
【図４】この考案の実施例のバッテリーケースの蓋体の側面図である。
【図５】この考案の実施例のバッテリーケースのバッテリーガイドの構成を示す分解平面図である。
【図６】この考案の実施例のバッテリーケースのバッテリーガイドの構成を示す分解側面図である。
【符号の説明】
【００３１】
Ａ    バッテリーケース              Ｂ    バッテリー
１    外箱                          ２    蓋体
３    グロメット                    ４    フランジ
５    蝶番                          ６    Ｏリング
７    大板体                        ８    小板体
８ａ  透孔                          ９    ねじ
１０    電極台                      １１    ねじ
１２    ケース側電極                １３    板ばね
１４    逆挿入防止体                １５    バッテリーガイド
１６    バッテリー側電極            １７    バッテリーの凹部
１８    導線
【図１】
0003142460.tif 000003
【図２】
0003142460.tif 000004
【図３】
0003142460.tif 000005
【図４】
0003142460.tif 000006
【図５】
0003142460.tif 000007
【図６】
0003142460.tif 000008